(57)【要約】【課題】温度を下げるべき部分では、冷却を確実に行え、温度を下げたくない部分では、冷却の影響を小さくする。【解決手段】送風ファン６０による風が流れるメインダクト６１が設けられ、定着ローラ２２のベアリング２６の近傍に、メインダクト６１に連通するサブダクト６２が設けられる。メインダクト６１に、狭く絞られた絞り部６３が形成され、サブダクト６２が絞り部６３に接続される。メインダクト６１を流れる風による吸引力を利用して、サブダクト６２を通じてベアリング２６の周囲の高温の空気を吸引する。【選択図】図３
2011059359.tif 000002
【特許請求の範囲】
【請求項１】
被加熱物を加熱する加熱体を冷却する冷却装置であって、加熱体の一部が被加熱物の加熱に直接作用しない被冷却部とされ、送風ファンによる風が流れるメインダクトが設けられ、被冷却部の近傍に、メインダクトに連通するサブダクトが設けられ、メインダクトを流れる風による吸引力を利用して、サブダクトを通じて被冷却部の周囲の空気を吸引することを特徴とする冷却装置。
【請求項２】
メインダクトに、狭く絞られた絞り部が形成され、サブダクトが絞り部に接続されたことを特徴とする請求項１記載の冷却装置。
【請求項３】
加熱体の両端が被冷却部とされ、メインダクトが加熱体に沿って配され、サブダクトの吸引口が、各被冷却部に対向して、被冷却部の一部を覆うように設けられたことを特徴とする請求項１または２記載の冷却装置。
【請求項４】
被加熱物の加熱に直接作用する加熱体の加熱部が被冷却部に隣接し、加熱部と被冷却部とを仕切る仕切材が設けられ、仕切材によって仕切られた被冷却部側の空間に外部からの空気を導く取入口が設けられたことを特徴とする請求項１〜３のいずれかに記載の冷却装置。
【請求項５】
仕切材は、被冷却部側の空間と加熱部側の空間とを遮断することを特徴とする請求項４記載の冷却装置。
【請求項６】
取入口に吸入ファンが設けられ、吸入ファンによる空気流入量がサブダクトからの空気流出量以下とされたことを特徴とする請求項４または５記載の冷却装置。
【請求項７】
被冷却部を囲むように冷却室が形成され、取入口から冷却室に通じる案内ダクトが設けられたことを特徴とする請求項４〜６のいずれかに記載の冷却装置。
【請求項８】
加熱体が定着ローラとされ、被冷却部が定着ローラを回転自在に支持するベアリングとされたことを特徴とする請求項１〜７のいずれかに記載の冷却装置。
【請求項９】
定着装置に、請求項１〜８のいずれかに記載の冷却装置を備えたことを特徴とする画像処理装置。
【発明の詳細な説明】
【技術分野】
【０００１】
本発明は、複写機、プリンタ等の画像処理装置における排熱が必要な定着装置に搭載される冷却装置に関する。
【背景技術】
【０００２】
電子写真プロセスに従って画像を形成する画像処理装置では、例えば定着装置等のように、装置の一部が発熱する、もしくは装置内に不要な熱が発生する。この熱を外へ排出する必要がある。
【０００３】
例えば、特許文献１〜３のように、画像処理装置内の定着装置や感光体の近傍から空気を吸引し、定着装置等を冷却する。特に、特許文献２では、定着ローラの両端にダクトが設けられ、冷却ファンによって定着ローラの両端の空気を吸引して排気し、定着ローラの両端を冷却する。
【先行技術文献】
【特許文献】
【０００４】
【特許文献１】特開平２−８５８７７号公報
【特許文献２】特開平４−１２３８３号公報
【特許文献３】特開平７−３６３５２号公報
【発明の概要】
【発明が解決しようとする課題】
【０００５】
定着装置では、定着ローラが回転自在にベアリングに支持されている。ここで、定着ローラは用紙上のトナー像を加熱して定着するため、定着ローラのローラ部分の温度が下がることを避けなければならない。一方、定着ローラのベアリングでは、温度が上昇していくと、焼き付きなどの損傷が発生して、寿命が低下したり、定着ローラの安定した回転を保証できなくなる。そのため、ベアリングの温度を下げなければならない。
【０００６】
特許文献２のように、定着ローラの両端の近傍にダクトが設けられていると、ベアリングの温度を下げることは可能となるが、温度を下げたくないローラ部分の両端も冷却される。その結果、定着ローラに温度むらが生じて、定着性能が低下する。
【０００７】
そこで、本発明は、上記に鑑み、温度を下げるべき部分では、冷却を確実に行え、温度を下げたくない部分では、冷却の影響を小さくできる冷却装置の提供を目的とする。
【課題を解決するための手段】
【０００８】
本発明は、被加熱物を加熱する加熱体を冷却する冷却装置であって、加熱体の一部が被加熱物の加熱に直接作用しない被冷却部とされ、送風ファンによる風が流れるメインダクトが設けられ、被冷却部の近傍に、メインダクトに連通するサブダクトが設けられたものである。
【０００９】
メインダクトを流れる風による吸引力を利用して、サブダクトを通じて被冷却部の周囲の空気が吸引される。ここで、加熱体が定着ローラとされ、被冷却部が定着ローラを回転自在に支持するベアリングとされ、被冷却部は、温度を下げるべき部分とされ、加熱体の一部が局所的に冷却される。加熱体の被冷却部以外の部分は、サブダクトによる吸引の影響を受けないので、冷却されない。
【００１０】
メインダクトに、狭く絞られた絞り部が形成され、サブダクトが絞り部に接続される。絞り部において、負圧が発生するので、サブダクトにより、被冷却部の周囲の空気が吸引される。
【００１１】
加熱体の両端が被冷却部とされ、メインダクトが加熱体に沿って配され、サブダクトの吸引口が、各被冷却部に対向して、被冷却部の一部を覆うように設けられる。被冷却部で熱せられた空気が上昇して、吸引口からサブダクトに吸引される。
【００１２】
被加熱物の加熱に直接作用する加熱体の加熱部が被冷却部に隣接し、加熱部と被冷却部とを仕切る仕切材が設けられ、仕切材によって仕切られた被冷却部側の空間に外部からの空気を導く取入口が設けられる。
【００１３】
サブダクトは被冷却部側の空間に連通し、この空間内の高温の空気を吸引する。吸引に伴って、取入口から外部の低温の空気が被冷却部側の空間に取り込まれる。したがって、被冷却部が冷却される。また、仕切材により、被冷却部側から加熱部側への空気の流れが邪魔され、加熱部の温度低下を防げる。
【００１４】
仕切材は、被冷却部側の空間と加熱部側の空間とを遮断する。被冷却部側から加熱部側に低温の空気が流れ込むことが完全に防止でき、加熱部への冷却の影響をなくすことができる。
【００１５】
取入口に吸入ファンが設けられ、吸入ファンによる空気流入量がサブダクトからの空気流出量以下とされる。吸入ファンにより、外部から低温の空気を強制的に取り込んで、被冷却部側の空間の温度を効率よく低下させることができる。このとき、空気流入量が空気流出量以下にされているので、被冷却部側の空間の気圧が加熱部側の空間の気圧以下となり、被冷却部側から加熱部側に空気は流れない。
【００１６】
被冷却部を囲むように冷却室が形成され、取入口から冷却室に通じる案内ダクトが設けられる。外部の低温の空気が直接被冷却部に取り入れることができ、被冷却部を効率よく冷却できる。
【発明の効果】
【００１７】
本発明によると、加熱体の一部を局所的に冷却することができ、加熱体のその他の部分に冷却の影響を及ぼさないようにできる。したがって、温度を下げるべき部分では、冷却を確実に行え、温度を下げたくない部分では、冷却の影響を小さくでき、これにより、被加熱物を加熱するといった加熱体の機能が損なわれない。
【００１８】
特に、本冷却装置を定着装置に搭載した場合、定着ローラにおける温度を下げたい部分であるベアリングの周囲から熱を排出でき、ベアリングを冷却できる。一方、定着ローラにおける温度を下げたくない部分はベアリングに隣接しているが、局所的な吸引が行われるので、温度を下げたくない部分では、冷却の影響を受けず、高温に維持することができ、定着性能に支障を来さないようにできる。
【図面の簡単な説明】
【００１９】
【図１】本発明の画像処理装置の全体構成図
【図２】定着装置の断面図
【図３】第１実施形態の冷却装置を備えた定着装置を示す図
【図４】サブダクトの吸込口の断面図
【図５】第２実施形態の冷却装置を備えた定着装置を示す図
【図６】第３実施形態の冷却装置を備えた定着装置を示す図
【図７】第４実施形態の冷却装置を備えた定着装置を示す図
【発明を実施するための形態】
【００２０】
本実施形態の画像処理装置を図１に示す。本画像処理装置は、複写機能及びプリンタ機能を有する複合機であり、印刷モードとして、コピーモード、プリントモード、ＦＡＸモードを実行する。画像処理装置の制御部は、操作部からの操作入力あるいはパーソナルコンピュータ等の外部装置からの印刷ジョブの受信に応じて、印刷モードを選択して、印刷を行う。
【００２１】
図１に示すように、本画像形成装置は、大きく分けて、最上部の原稿読取部１と、その下方に配置されたプリンタ部（画像形成部）２と、そのさらに下方に配置された給紙ユニット部３とを備えている。
【００２２】
画像処理装置の装置本体の前面部に操作パネル（不図示）が配置されている。操作パネル上の印刷枚数／印刷倍率等の条件入力キーによる入力後に、操作パネルのスタートキーが操作されると、コピー動作が開始される。原稿読取部１は、プラテンガラス３１上に載置された原稿の画像を読み取る。すなわち、コピーランプユニット３２のコピーランプ３２ａが点灯し、コピーランプユニット３２が水平移動しながら原稿への露光が開始される。コピーランプ３２ａにより原稿に照射された照射光は、原稿によって反射される。原稿の画像情報を含む反射光は、コピーランプユニット３２に設けられた第１ミラー３２ｂから第２ミラー３３、第３ミラー３４、光学レンズ３５を経て、ＣＣＤ３６へ入力される。このようにして原稿の画像情報が読み取られる。
【００２３】
制御部が有するＣＣＤ回路によって、画像情報を含む反射光は、電気的信号に変換され、画像情報信号が生成される。画像情報信号は、設定された条件にしたがって画像処理され、光走査ユニット６へプリントデータとして送信される。
【００２４】
プリンタ部２は、電子写真プロセス部２０と、定着装置２１とを備えている。電子写真プロセス部２０は、用紙等の記録媒体に現像剤による画像形成を行う。定着装置２１は、画像形成後の記録媒体を定着ローラ２２と加圧ローラ２３との間に挟み込むことにより、記録媒体にトナー像を加熱定着する。定着ローラ２２の内部には、ヒータが設けられている。定着ローラ２２の温度を検出する温度センサ２４が設けられ、所定の定着温度に維持されるように、制御部は、温度センサ２４の検出温度に基づいてヒータへの供給電力を制御する。
【００２５】
電子写真プロセス部２０は、感光体ドラム４と、これを中心としてその周囲に配置された帯電ユニット５、光走査ユニット６、現像ユニット７、転写ユニット８およびクリーニングユニット９を備えている。
【００２６】
帯電ユニット５は、感光体ドラム４の表面を均一に帯電させる。光走査ユニット６は、均一に帯電された感光体ドラム４上に光像を走査して静電潜像を書き込む。現像ユニット７は、光走査ユニット６によりプリントデータに従って書き込まれた静電潜像を現像剤により顕像化する。
【００２７】
転写ユニット８は、感光体ドラム４上に記録再現された画像を記録媒体上に転写する。クリーニングユニット９は、感光体ドラム４上に残留した現像剤を除去して、感光体ドラム４上に新たな画像を記録することができるようにする。なお、クリーニングユニット９により除去された残留現像剤は、現像ユニット７の現像剤供給部１０に回収され、リサイクルされる。このように残留現像剤をリサイクルするプロセスを備えているものに限定されるものではなく、残留現像剤を回収して廃棄してもよい。
【００２８】
給紙ユニット部３は、複数の記録媒体がセットされる給紙トレイ１１、１２、１３、１４を備えている。記録媒体としての多種の用紙が例えばサイズ毎に各給紙トレイ１１〜１４に分別して収容される。
【００２９】
給紙トレイ１１と給紙トレイ１２とは、互いに並列配置され、これらの下側に給紙トレイ１３が配置され、その下側に給紙トレイ１４が配置されている。ここで、給紙トレイ１３及び給紙トレイ１４の各容量は、同程度の容量とされる。これに対し、給紙トレイ１１及び給紙トレイ１２の容量は、給紙トレイ１３及び給紙トレイ１４の容量よりも大とされる。
【００３０】
給紙ユニット部３には、給紙トレイ１１〜１４に収容された用紙をプリンタ部２に向かって搬送するために、第４搬送路１５および第５搬送路１６が形成されている。第４搬送路１５は、給紙トレイ１１、１３、１４に収容された用紙を搬送する。第５搬送路１６は、給紙トレイ１２に収容された用紙を搬送する。
【００３１】
第４搬送路１５は、給紙ユニット部３のフレーム１７に沿って略鉛直方向に延びている。一方、第５搬送路１６は、フレーム１７に沿って略水平方向に延びている。このようにして給紙ユニット部３の内部には、給紙トレイ１１〜１４と、第４搬送路１５と、第５搬送路１６とが効率よく配置され、給紙ユニット部３の省スペース化が実現されている。
【００３２】
各給紙トレイ１１〜１４に用紙をセットするには、ユーザは、装置本体の前方向に目的の給紙トレイ１１〜１４を引き出して用紙を入れる。そして、画像形成が行われる際には、給紙トレイ１１〜１４の中から１つの給紙トレイが選択され、選択された給紙トレイから用紙が１枚ずつ分離して搬出される。
【００３３】
給紙トレイ１１〜１４から供給された用紙は、第４搬送路１５あるいは第５搬送路１６を通って、プリンタ部２内の第３搬送路４１を上方向へ搬送されて、感光体ドラム４と転写ユニット８との間に供給される。そして、供給された用紙に、転写ユニット８によって感光体ドラム４上に形成された画像が転写される。画像形成後の用紙は、さらに上方に配置された定着装置２１に搬送される。定着装置２１において、トナー像が加熱定着される。
【００３４】
そして、加熱定着後の用紙は、第１搬送路４２内に送出されて、上方向へ導かれ、さらに、定着装置２１の上方に配置された第２搬送路４３へ搬送される。第２搬送路４３は、略水平方向に形成されており、第１搬送路４２を通過した用紙が略水平方向へ方向転換して搬送される。これにより、用紙は、排紙トレイ２ａへ排出される、あるいは後処理装置（不図示）へ送出される。両面印刷の場合、用紙がターンバックにより第６搬送路４４へ再循環され、用紙両面への画像形成が行われる。
【００３５】
本画像処理装置には、装置本体内で発生して上昇した熱を排出するために、第２搬送路４３の上方に、排気ダクト４５が設けられる。排気ダクト４５は、装置本体の側面に形成された開口につながっている。開口には、排気ファン４６が設けられ、排気ファン４６の駆動により、装置本体の上部に溜まった暖かい空気が、排気ダクト４５を通じて強制的に排出される。
【００３６】
また、画像処理装置には、被加熱物を加熱する加熱体を冷却する冷却装置を備えている。冷却装置は、加熱体の一部だけを局所的に冷却する。加熱体は、被加熱物の加熱に直接作用する加熱部と、被加熱物の加熱に直接作用しない被冷却部とから構成され、加熱部と被冷却部とは隣接している。したがって、冷却装置は、加熱体における被冷却部だけを冷却し、加熱部を冷却しない。ここで、加熱体は、定着装置２１における定着ローラ２２であり、被加熱物はトナー像を加熱定着される用紙である。
【００３７】
第１実施形態の冷却装置を備えた定着装置２１を図２、３に示す。定着装置２１では、ヒータを内蔵した定着ローラ２２と加圧ローラ２３とが、箱状のハウジング５０に内装され、対向配置される。各ローラ２２、２３は、ハウジング５０に回転自在に支持される。ハウジング５０内に入った用紙Ｐは、定着ローラ２２と加圧ローラ２３との間を通過し、第１搬送路４２に沿って搬送され、排紙ローラ５１により排出トレイ２ａに排出される。
【００３８】
図３に示すように、定着ローラ２２の左右の支持軸２５は、それぞれベアリング２６に回転自在に支持され、ベアリング２６は、ハウジング５０に形成された保持フレーム５２に保持される。ここで、定着ローラ２２の胴部２７は、用紙に直接接触して加熱する。すなわち、胴部２７が加熱部とされ、胴部２７は温度を下げたくない部分である。また、ベアリング２６が被冷却部とされ、ベアリング２６は高温になるのを避けるようにしなければならず、温度を下げるべき部分である。
【００３９】
なお、ハウジング５０に内装されている加圧ローラ２３の支持軸は、同じ保持フレーム５２にベアリングを介して回転自在に支持され、かつ定着ローラ２２に近接離間できるように移動自在に支持される。
【００４０】
冷却装置は、温度を下げるべき部分では、冷却を確実に行え、温度を下げたくない部分では、冷却の影響を小さくする。このような冷却を実現するために、冷却装置は、送風ファン６０による風が流れるメインダクト６１と、メインダクト６１に連通するサブダクト６２とを備える。サブダクト６２は、ベアリング２６の近傍に設けられ、メインダクト６１を流れる風による吸引力を利用して、サブダクト６２を通じてベアリング２６の周囲の空気を吸引する。
【００４１】
角筒状のメインダクト６１は、定着ローラ２２に沿って、定着ローラ２２の上方に設けられる。ハウジング５０と第１搬送路４２との間の空きスペースに、メインダクト６１は配置される。メインダクト６１の一側に送風ファン６０が設けられ、一側から他側に向かって空気が流れる。送風ファン６０は、空気の流れ方向の上流側に位置する。メインダクト６１の他側は、排気ダクト４５に接続される。
【００４２】
メインダクト６１に、狭く絞られた絞り部６３が形成される。絞り部６３は、定着ローラ２２の各ベアリング２６と対向する位置にそれぞれ形成される。絞り部６２は、送風ファン６０よりも下流側に位置する。サブダクト６２の出口が絞り部６３に接続される。
【００４３】
ハウジング５０内の定着ローラ２２の周囲において、保持フレーム５２により、ベアリング２６のある被冷却空間６４と胴部２７のある加熱空間６５とが仕切られる。保持フレーム５２は、ベアリング２６と胴部２７とを仕切る仕切材とされる。ただし、両空間６４、６５は、完全には遮断されていない。サブダクト６２の吸引口６６は、被冷却空間６４内に位置し、被冷却空間６４とメインダクト６１とを連通する。図４に示すように、サブダクト６２の吸引口６６は、ラッパ状に広がるように形成され、ベアリング２６の上部を覆う。
【００４４】
ハウジング５０に、被冷却空間６４に通じる取入口６７が形成され、外部からの空気が取入口６７を通じて被冷却空間６４に導かれる。取入口６７は、ハウジング５０の下部に形成され、サブダクト６２の吸引口６６とはベアリング２６を挟んで反対側に位置する。
【００４５】
画像処理装置の電源がオンされると、定着ローラ２２のヒータに通電され、定着ローラ２２は発熱する。胴部２７からベアリング２６に熱が伝わり、ベアリング２６の温度が上昇する。送風ファン６０が駆動されると、メインダクト６１内を空気が流れる。空気流が絞り部６３を通過するときの流速は、空気流が絞り部６３以外の広い部分を通過するときの流速よりも速くなる。空気流が高速で絞り部６３を通過することにより、サブダクト６２の出口付近では負圧が生じる。
【００４６】
この負圧により、サブダクト６２の吸引力が発生する。サブダクト６２の吸引口６６は、ベアリング２６の上部を覆っているので、ベアリング２６によって熱せられて上昇する空気はサブダクト６２の吸引口６７に導かれる。被冷却空間６４内の高温になった空気がサブダクト６２に吸い込まれる。高温の空気は、サブダクト６２からメインダクト６１を通って外部に排気される。サブダクト６２からの吸引に伴い、取入口６７から外部の冷たい空気が被冷却空間に流れ込む。ベアリング２６は冷たい空気によって冷却される。ベアリング２６を冷却した空気は、サブダクト６２に吸い込まれ、保持フレーム５２を越えて加熱空間６５には流れ込まない。そのため、ベアリング２６が冷却されても、定着ローラ２２の胴部２７の温度は下がらない。
【００４７】
このように、メインダクト６１に絞り部６３を形成することにより、メインダクト６１内に流速差を生じさせることができる。絞り部６３にサブダクト６２を接続すると、絞り部６３以外の部分にサブダクト６２を接続する場合に比べて、より大きな負圧を発生させることができる。したがって、送風ファン６０の風速を上げなくても、サブダクト６２の吸引力を容易に高めることができる。
【００４８】
また、送風ファン６０の配置に関して、送風ファン６０を２つの絞り部６３の間に配置した場合、定着ローラ２２の胴部２７付近は、ハウジング５０で囲われているものの高温であるため、耐熱性の高い送風ファン６０、すなわちファンのハーネスの被覆、基板、モータ、ベアリング２６の耐熱スペックが高い送風ファン６０を用いる必要がある。しかも、定着装置２１の周囲に送風ファン６０を配置するスペースも確保しにくい。あるいは、送風ファン６０を絞り部６３よりも下流側に配置した場合、サブダクト６２で吸引された高温の空気により、メインダクト６１内を流れる空気の温度が高くなり、この空気に触れる送風ファン６０は耐熱性の高いファンを用いなければならない。しかし、メインダクト６１の最上流側に送風ファン６０を配置することにより、耐熱性の高いファンを用いる必要がなくなり、より安価なファンを選ぶことができる。
【００４９】
第２実施形態の冷却装置を図５に示す。保持フレーム５２が延伸されて、ハウジング５０内を空間的に区切る。保持フレーム５２により、被冷却空間６４と加熱空間６５とが完全に遮断される。その他の構成は、第１実施形態と同じである。これにより、被冷却空間６４から加熱空間６５に低温の空気が流れ込むことを防止でき、冷却による定着ローラ２２の胴部２７への影響をなくすことができる。
【００５０】
第３実施形態の冷却装置を図６に示す。取入口６７に吸入ファン６８が設けられる。その他の構成は、第１実施形態と同じである。吸入ファン６８は、送風ファン６０と連動して駆動される。吸入ファン６８の駆動により、被冷却空間６４に外部の空気が強制的に送り込まれる。このとき、吸入ファン６８による空気吸入量がサブダクト６２からの空気流出量以下となるように、吸入ファン６８の回転数は制御される。したがって、被冷却空間６４の排熱を効率的に行うことができ、しかも空気吸入量と空気流出量との関係により、被冷却空間６４の気圧は加熱空間６５の気圧以下となり、被冷却空間６４から加熱空間６５への空気の流入をなくすことができ、胴部２７での冷却の影響を排除できる。
【００５１】
第４実施形態の冷却装置を図７に示す。ベアリング２６を囲むように冷却室６９が形成され、取入口６７から冷却室６９に通じる案内ダクト７０が設けられる。その他の構成は、第３実施形態と同じである。
【００５２】
ベアリングを挟んで保持フレーム５２に対向するように、遮蔽壁７１が設けられる。遮蔽壁７１は、ベアリング２６に一体的に形成される。遮蔽壁７１と保持フレーム５２とにより、冷却室６９が形成される。案内ダクト７０は、ハウジング５０内の下部に形成される。取入口６７から案内ダクト７０、冷却室６９を通ってサブダクト６２の吸引口６６に至る空気流路が形成され、冷たい空気がベアリング２６に集中的に当たり、冷却効率がアップする。冷たい空気が、冷却室６９から被冷却空間６４に漏れて、加熱空間６５に流れ込むことはない。
【００５３】
なお、本発明は、上記実施形態に限定されるものではなく、本発明の範囲内で上記実施形態に多くの修正および変更を加え得ることは勿論である。例えばヒータと、その輻射熱を反射する反射体とからなる加熱体に冷却装置を適用して、反射体を冷却する。
【００５４】
第２実施形態において、取入口に吸入ファンを設けてもよい。さらに、冷却室を形成してもよい。
【符号の説明】
【００５５】
２１    定着装置
２２    定着ローラ
２３    加圧ローラ
２６    ベアリング
２７    胴部
５０    ハウジング
５２    保持フレーム
６０    送風ファン
６１    メインダクト
６２    サブダクト
６３    絞り部
６４    被冷却空間
６５    加熱空間
６６    吸引口
６７    取入口
６８    吸入ファン
６９    冷却室
７０    案内ダクト
【図１】
2011059359.tif 000003
【図２】
2011059359.tif 000004
【図３】
2011059359.tif 000005
【図４】
2011059359.tif 000006
【図５】
2011059359.tif 000007
【図６】
2011059359.tif 000008
【図７】
2011059359.tif 000009